(57)【要約】      （修正有） 【課題】天井面と照明器具との隙間を減少させながらも、埃や虫等が進入し難い構造とし、デザイン性も考慮したカバーの開閉を操作を容易に行うことができる照明器具を提供する。【解決手段】光源を収納する本体と、本体を覆うカバーと、本体とカバーとの閉状態又は開状態を保持する開閉機構と、閉状態から開状態にする引出手段を備える。引出手段は、カバーを貫通する孔と、孔を開閉する蓋を備える。【選択図】図１
0003165124.tif 000002
【実用新案登録請求の範囲】
【請求項１】
天井に取り付けられ照明用の光源を収納する本体と、
当該本体を覆うように形成し前記光源からの光を透過する透過部を設けたカバーと、
前記本体と前記カバーとの閉状態又は開状態を保持する開閉機構とを備えた照明器具であって、
前記開閉機構によって前記カバーと前記本体とを閉状態から開状態にするための引出手段を備えることを特徴とする照明器具。
【請求項２】
前記引出手段は、前記カバーの表面を前記本体の内部側に貫通する孔と、当該孔を開閉する蓋と、を備え、
前記孔は、前記カバーと前記本体とを閉状態から開状態にする際、前記カバーを下方に引き出すための媒体を外部から挿入する挿入孔である、
ことを特徴とする請求項１に記載の照明器具。
【請求項３】
前記引出手段は、前記蓋がヒンジによって前記カバーと回転可能に支持されるとともに、当該蓋の自重によって前記挿入孔が閉塞される手段を備えたことを特徴とする請求項２に記載の照明器具。
【請求項４】
前記引出手段は、前記蓋が前記挿入孔を常に閉塞する位置に付勢する付勢手段を備えたことを特徴とする請求項２又は請求項３に記載の照明器具。
【請求項５】
前記引出手段は、前記蓋が前記挿入孔に向かって突出した密封部を備えたことを特徴とする請求項２乃至請求項４のいずれか一項に記載の照明器具。
【請求項６】
前記挿入孔を前記密封部で閉塞した状態において、前記カバーの表面と前記密封部の表面とを面一に形成することを特徴とする請求項５に記載の照明器具。
【請求項７】
前記挿入孔の断面形状を円形に形成したことを特徴とする請求項２乃至請求項６のいずれか一項に記載の照明器具。
【考案の詳細な説明】
【技術分野】
【０００１】
本考案は、車両内部の照明に用いられる照明器具であって、バス・鉄道（列車）・大型自動車等に設けられ、蛍光灯など光源により乗客や通路を照らす照明器具に関するものである。
【背景技術】
【０００２】
従来から車両内部に設けられた照明器具は、蛍光灯等の部品の交換や掃除等の為に、蛍光灯を覆うカバーを開けて作業をする必要がある。そのために、カバーを開く構造には様々な構造が採用されてきた。例えば、カバーの開閉機構をリンク機構で構成し、カバーを本体に嵌合や磁石等によって固定するための固定手段や、カバーを本体からリンク機構で引き出すための取っ手等を必要とするものがある。
また、特に安価で簡単に開閉する構造として図７に示すようにＶ字バネ３０を採用した照明器具１０が提案されてきた。
【０００３】
この照明器具１０は、列車やバスの出入り口の通路や乗客の客席上部等に設けられ、カバー２１を閉じた状態で、カバー２１の表面と天井面Ｓとの高さ位置が同一となるように設けられているので、見栄えがよいものとなるのである。
また、この照明器具１０は、本体１１が車両の天井内部にビス等で装着され、本体１１内部に蛍光灯２やソケット３を内蔵し、カバー２１に装着されたガラス２２から蛍光灯２の光を照明として発している。
【０００４】
そして、この照明器具１０は、本体１１のバネ受け３１とカバー２１のバネ掛け３２との間に設けられたＶ字バネ３０の作用によって開閉される構造となっている。
この構造は、Ｖ字バネ３０の付勢力に抗じてカバーを引き下げるだけでカバー２１が開き、また閉じるときはＶ字バネの付勢力を利用して上方に力を少し加えると、カバー２１が閉じる構造が採用されている（例えば、特許文献１参照）。
【先行技術文献】
【特許文献】
【０００５】
【特許文献１】実開昭６３−８９６１６号公報（図２、図４）
【特許文献２】実開平７−２７０１６号公報（図１、図４）
【特許文献３】実公平４−１１２９３号公報（図３、図４）
【考案の概要】
【考案が解決しようとする課題】
【０００６】
しかしながら、従来の照明器具１０では、図７に示すように、照明器具１０のカバー２１を下に引き下げるには、天井面Ｓと照明器具１０の周りに指や、引っ掛けるための器具が入るだけの隙間Ｈを設けるか、照明器具１０に取っ手等を設ける必要があった。
そのため、天井面Ｓと照明器具１０の回りに隙間Ｈを設けると埃や虫等が進入しやすいという問題や、また見栄えが良くない等の問題も発生していた。また、照明器具１０に取っ手等を設けるとデザイン状の制約が多くなってしまうという問題も発生することになった。
【０００７】
そこで、本考案は、天井面と照明器具との隙間を減少させ、埃や虫等が進入し難い構造とし、デザイン性も考慮したカバーの開閉操作を容易に行うことができる照明器具を提供することを目的とする。
【課題を解決するための手段】
【０００８】
本考案の照明器具は、天井に取り付けられ照明用の光源を収納する本体と、当該本体を覆うように形成し前記光源からの光を透過する透過部を設けたカバーと、前記本体と前記カバーとの閉状態又は開状態を保持する開閉機構とを備えた照明器具であって、
前記開閉機構によって前記カバーと前記本体とを閉状態から開状態にするための引出手段を備えることを要旨とする。
また、本考案の照明器具は、前記引出手段は、前記カバーの表面を前記本体の内部側に貫通する孔と、当該孔を開閉する蓋と、を備え、前記孔は、前記カバーと前記本体とを閉状態から開状態にする際、前記カバーを下方に引き出すための媒体を外部から挿入する挿入孔であることを要旨とする。
この構成によれば、照明器具は、前記カバーと前記本体とを閉状態から開状態にするための引出手段を備え、特に挿入孔に指等を挿入して引き出すだけの簡単な操作で、カバーを引き出すことができるので、照明器具と照明器具を収納した天井面との隙間を僅かにすることができると共に、その挿入孔を閉塞することが出来るので、埃や虫等の侵入を防ぐことが出来る。また、照明器具は、美感を向上させることができる。
【０００９】
本考案の照明器具は、前記引出手段は、前記蓋がヒンジによって前記カバーと回転可能に支持されるとともに、当該蓋の自重によって前記挿入孔が閉塞される手段を備えたことを要旨とする。
この構成によれば、列車の車両の移動中に発生する振動があったとしても、挿入孔は蓋の自重により絶えず閉塞される位置に戻されるので、挿入孔は開口されることがなく、照明器具は虫や埃の侵入を防ぐと共に、ガタつきにより発生する異音を生じることはない。
【００１０】
本考案の照明器具は、前記引出手段は、前記蓋が前記挿入孔を常に閉塞する位置に付勢する付勢手段を備えたことを要旨とする。
この構成によれば、列車の車両の移動中に発生する振動があったとしても、挿入孔は蓋が付勢手段により常に閉塞されるため、虫や埃の侵入を防ぐと共に、ガタつきにより発生する異音を生じることはない。
【００１１】
本考案の照明器具は、前記引出手段は、前記蓋が前記挿入孔に向かって突出した密封部を備えたことを要旨とする。
この構成によれば、たとえ蓋に異物が混入したとしても、蓋に設けられたの突出した密封部により、更に密着度を増すことができ、更に埃や虫等の侵入を防ぐように密封することができる。
【００１２】
本考案の照明器具は、前記挿入孔を前記密封部で閉塞した状態において、前記カバーの表面と前記密封部の表面とを面一に形成することを要旨とする。
この構成によれば、照明器具は、挿入孔を密封部で閉塞した状態で、カバーの表面と同一となる位置に前記密封部の表面（カバーの表面と密封部の表面とが面一）を形成したので、カバー全体のデザイン性が向上する。
【００１３】
本考案の照明器具は、前記挿入孔の断面形状を円形に形成したことを要旨とする。
この構成によれば、挿入孔に指を挿入しやすく、作業が容易となる共に、指を切ったり傷つけるようなことはない。又、照明器具は、見栄えも良いものとなる。
【考案の効果】
【００１４】
本考案によれば、照明器具は、媒体を挿入孔に挿入して引き出すだけの簡単な操作で、カバーを引き出すことができるので、照明器具と照明器具を収納した天井面との間に隙間を僅かにすることができると共に、その挿入孔を閉塞することができるので、埃や虫等の侵入を防ぐように密封することができるようになる。また、照明器具は、美感を向上させることができるようになる。
【図面の簡単な説明】
【００１５】
【図１】（Ａ）本実施形態における照明器具を正面から見た正面図である。（Ｂ）本実施形態における照明器具を底面から見た底面図である。
【図２】（Ａ）本実施形態における照明器具のカバーを閉じた状態を側面から見た側面図である。（Ｂ）本実施形態における照明器具のカバーを開いた状態を側面から見た側面図である。
【図３】本実施形態における照明器具の一部を底面から見たときの拡大底面図である。
【図４】（Ａ）本実施形態における照明器具の引出手段の断面図である。（Ｂ）本実施形態における照明器具の引出手段が開いた状態を示す断面図である。
【図５】（Ａ）本実施形態における照明器具の正面図である。（Ｂ）本実施形態における照明器具の平面図である。（Ｃ）本実施形態における照明器具の底面図である。（Ｄ）本実施形態における照明器具の右側面図である。
【図６】図５（Ｃ）の照明器具の底面図におけるＡ−Ａ部分の拡大底面図である。
【図７】（Ａ）従来の照明器具のカバーを開いた状態を示す側面図である。（Ｂ）従来の照明器具を底面から見たときの状態を示す図である。
【考案を実施するための形態】
【００１６】
図１乃至図４に基づいて、本実施の形態を以下に説明する。
図１（Ａ）は、本実施形態における照明器具を正面から見た正面図である。図１（Ｂ）は、本実施形態における照明器具を底面から見た底面図である。図２（Ａ）は、本実施形態における照明器具のカバーを閉じた状態を側面から見た側面図である。図２（Ｂ）は、本実施形態における照明器具のカバーを開いた状態を側面から見た側面図である。図３は、本実施形態における照明器具の一部を底面から見たときの拡大底面図である。図４（Ａ）は、本実施形態における照明器具の引出手段の断面図である。図４（Ｂ）は、本実施形態における照明器具の引出手段が開いた状態を示す断面図である。
【００１７】
図１及び図２には、車両の天井に取り付けられ、内蔵された直管状の蛍光灯２により列車内の通路を照らす照明器具１０が示されている。照明器具１０は、車両の天井に照明器具１０を装着し蛍光灯２を収納するための本体１１と、その本体１１から下方に引き出すことができるカバー２１とから構成されている。ここで、照明器具１０の図１の正面図に現れる長手方向の全体寸法は１３００ｍｍであり、底面図に現れる幅方向の寸法は、１８０ｍｍである。
また、本体１１の外側にはトランス５と、そのトランス５へ電力を供給するためのハーネス６や外部からのハーネスを接続するためのコネクタ７が設けられている。照明器具１０のカバー２１の表面は車両側の天井面Ｓと同一となる位置に設けられており、車両側の壁面Ｔとの隙間は僅かな隙間しかない状態で設けられている。
【００１８】
図１及び図２に示すように、下方を開口した箱状の本体１１には、蛍光灯２やソケット３の他に、Ｖ字バネ３０を受けるためのバネ受け３１が、本体１１の内部の両側に設けられ長手方向に適宜間隔を離して３箇所に設けられている。
カバー２１は、上方が開放した箱状に形成され、蛍光灯２と相対する位置に矩形状の透過部となるガラス２２が装着されている。また、本体１１のバネ受け３１と相対する位置に先端がコ字状に形成されたバネ掛け３２が設けられている。そして、Ｖ字バネ３０の終端にあるリング状の部分が、当該コ字状に引っ掛かるようになっており、バネ掛け３２のコ字状の部分からＶ字バネ３０が脱着できる構造となっている。
本体１１のバネ受けと３１カバー２１のバネ掛け３２との間にはＶ字バネ３０が掛け渡されており、Ｖ字バネの両端はく字状に折り曲げられゴム製のストッパー３３が設けられている。
【００１９】
次に、照明器具１０のカバー２１の中央両端には引出手段５０が設けられている。図３及び図４に示すように、カバー２１を引き出すために、媒体としての指（図示しない）や媒体としての引っ掛け棒（図示しない）が、挿入できる円状の孔となる挿入孔５４が設けられている。また、挿入孔５４の外周に沿ってプラスチックやゴムで形成されたリング状の保護枠５５が設けられている。保護枠５５と密着するように、保護枠５５の径より大きいサイズの蓋５２が設けられている。金属や樹脂で形成されたその蓋５２には、保護枠５５より径が小さく、挿入孔５４又は保護枠５５の形状に合わせた密封部５６が設けられている。また密封部５６は、下方に突出し、かつ、カバー２１の表面と同一となる位置に密封部５６の表面６０が形成されている。
【００２０】
この蓋５２の一側面がヒンジ５９の一方に固定されている。ヒンジ５９の他方には、カバー２１の側面にある固定板５３にビスで固定されている。ヒンジ５９は、軸５７で軸支され、蓋５２を上下方向に回転移動させることができる。ヒンジ５１には、蓋５２が挿入孔５４を閉塞する位置に絶えず付勢するバネ５８が設けられている。本実施の形態では、軸５７で軸支されたヒンジ機構（ヒンジ５９）と、蓋５２からカバー２１側に向かう鉛直方向に付勢力を働かせている付勢手段（バネ５８）と、を兼ね備えたバネヒンジ５１で構成されている。
【００２１】
図５及び図６は、トランス５を取り除いた状態の照明器具１０を示している。図５（Ａ）は、本実施形態における照明器具の正面図であり、背面図も（Ａ）と同様である。図５（Ｂ）は、本実施形態における照明器具の平面図でありる。図５（Ｃ）は、本実施形態における照明器具の底面図である。図５（Ｄ）は、本実施形態における照明器具の右側面図であり、左側面図も（Ｄ）と同様である。図６は、図５（Ｃ）の照明器具の底面図におけるＡ−Ａ部分の拡大底面図である。図５及び図６における実線は、照明器具の特徴部分を現しており、波線は照明器具全体を示している。照明器具１０には、上述した蛍光灯２、ソケット３、カバー２１や本体１１を備えている。
（本実施形態のカバーの開閉動作）
【００２２】
カバー２１の開閉動作について図２及び図４に基づいて説明する。カバー２１を引き出す場合には、引出手段５０の挿入孔５４に、バネヒンジ５１のバネ５８の付勢する力に抗じて指（又は、引っ掛け状になった棒等）を挿入する。蓋５２は、軸５７を支軸にして上方に跳ね上げられる（図４（Ｂ））。指をカバー２１内側に引っ掛けると、指でカバー２１をＶ字バネ３０の付勢力に抗じて、カバー２１を引き下げることによりカバー２１を下方に引き出すことができる（図２（Ｂ））。
【００２３】
そして、指を挿入孔５４から退避することにより、バネ５８は、蓋５２が挿入孔５４を閉塞するように絶えず付勢しているので、蓋５２は、バネヒンジ５１のバネ５８の付勢力によって閉塞する位置に戻り（図４（Ａ））、カバー２１の表面２３と密封部５６の突出した表面６０とが同一となる位置まで戻され、密封部５６が完全に照明器具１０内部に埃や虫を進入させないように密封させることができる。
【００２４】
次に、カバー２１を元に戻す場合には、カバー２１をＶ字バネ３０の弾性力に応じて僅かな力で上方に押し戻すことにより、カバー２１を元の位置に戻すことができる（図２（Ａ））。カバー２１を元に戻すと、照明器具１０のカバー２１の表面２３と車両側の天井面Ｓとが同一となる位置まで戻り、車両側の壁面Ｔとの隙間は僅かな隙間しかない状態となる。
（本実施形態の効果）
【００２５】
（１）本実施の形態の構成により、照明器具１０は、指を挿入して引き出すだけの簡単な操作で、カバー２１を引き出すことが出来るので、図２（Ａ）に見られるように、照明器具１０と照明器具１０を収納した天井面Ｓとの間の隙間を僅かにすることが可能である。また、照明器具１０は、挿入孔５４を閉塞できる構造が採用されているので、虫や埃の侵入を防ぐことができる。
【００２６】
（２）本実施の形態の構成により、照明器具１０は、バネヒンジ５１のバネ５９が、蓋５２が挿入孔５４を閉塞するように常に付勢しているため、列車や車両の移動中に発生する振動があったとしても、挿入孔５４は開口されることがなく、照明器具１０は、虫や埃の侵入を防ぐと共に、ガタつきにより発生する異音を生じることはない。
【００２７】
（３）本実施の形態の構成により、照明器具１０は、蓋５２には、挿入孔５４に向かって突出した密封部５６を設けることにより、たとえ蓋５２とカバー２１の間に異物が進入しても、挿入孔５４に向かって突出した密封部５６によって、蓋５２のみの場合と比較し鉛直方向の進入に対して有効に働くので、照明器具１０内部を密封することができ、照明器具１０は、虫や埃の侵入を防ぐことができる。
【００２８】
（４）本実施の形態の構成により、照明器具１０は、カバー２１の表面２３と同一となる位置に密封部５６の表面６０を形成したことにより、密着度を増すことができ、完全に埃や虫等の侵入を防ぐように密封することが可能である。更に、照明器具１０は見栄えも良いものとり、美感の向上に繋がる。
【００２９】
（５）本実施の形態の構成により、照明器具１０は、保護枠５５をプラスチック樹脂やゴム等の柔らかい素材で形成することにより、保護枠５５は、蓋５２との密封度を高めることが可能であると共に、虫や埃の侵入を防ぐと共に、ガタつきにより発生する異音を生じることはない。また、照明器具１０は、指を挿入する際、指を切ったり傷つけるようなことはない。
【００３０】
（６）本実施の形態の構成により、照明器具１０は、挿入孔５４を円形状に設けることにより、指を挿入しやすく、指を切ったり傷つけるようなことはない。又、照明器具１０は、見栄えも良いものとなる。
【００３１】
（７）本実施の形態の構成により、照明器具１０は、蓋５２を挿入孔５４の径より大きなサイズで形成し、ヒンジ機構を設けたため、挿入孔５４を上方から閉塞することによって蓋５２の自重により閉塞される構造となる。そして、照明器具１０は、虫や埃の侵入を防ぐことが可能である。
【００３２】
（８）本実施の形態の構成により、照明器具１０は、引出手段５０が、図１に示されるように、蛍光灯２やソケット３を避けた位置に設けられているため、蛍光灯２やソケット３に触れて感電や熱による火傷をする心配もない。また、照明器具１０は、引出手段５０が照明器具１０の両端中央に設けられているため、両手で簡単に引き出すことが可能である。
（他の実施形態への変更例）
【００３３】
以上説明した実施形態を他の実施形態へ変更した例を以下に示す。
・以上の本実施形態では、引出手段５０を、付勢手段５１（バネ）を備えたヒンジ機構で説明したが、付勢手段５１を備えないヒンジ５９のみであっても良い。ヒンジ５９によって蓋５２の自重で挿入孔５４を塞ぎ密着する構造であっても良い。そうすることによって、簡単な構造で安価に引出手段５０を構成することができる。
【００３４】
・付勢手段（弾性手段）はバネ５８だけでなく、油圧や板バネやゴム等であっても良い。
・挿入孔５４を円形状に設けたが、他の形状（三角、四角、多角形、楕円）であっても良い。
・指を挿入しやすく、また、指を切ったり傷つけるようなことがないようにするため、挿入孔５４の円形状や上述の他の形状の縁を面取りを施した構造であっても良い。
・引出手段５０は、照明器具１０内部に設けられ蓋５２が、カバー２１内部に設けられた溝に沿ってスライドする機構であっても良い。
【産業上の利用可能性】
【００３５】
鉄道の車両だけでなく、バスやトラックや船舶等の天井に取り付けた光源を使用する箇所にも使用することができる。
【符号の説明】
【００３６】
２・・・蛍光灯、３・・・ソケット、５・・・トランス、６・・・ハーネス、
７・・・コネクタ、
１０・・・照明器具、１１・・・本体、
２１・・・カバー、２２・・・ガラス、２３・・・表面（カバー）、
３０・・・Ｖ字バネ、３１・・・バネ受け、３２・・・バネ掛け、
３３・・・ストッパー、
５０・・・引出手段、５１・・・バネヒンジ、５２・・・蓋、
５３・・・固定板、５４・・・挿入孔、５５・・・保護枠、
５６・・・密封部、５７・・・軸、５８・・・付勢手段としてのバネ、
５９・・・ヒンジ機構としてのヒンジ、
６０・・・表面（密封部）、
Ｈ・・・隙間、Ｔ・・・壁面、Ｓ・・・天井面。
【図１】
0003165124.tif 000003
【図２】
0003165124.tif 000004
【図３】
0003165124.tif 000005
【図４】
0003165124.tif 000006
【図５】
0003165124.tif 000007
【図６】
0003165124.tif 000008
【図７】
0003165124.tif 000009